(57)【要約】【課題】身体の臀部及び股間に沿うように吸収コアを変形させ、着用者の身体を適切に覆うことができる使い捨ておむつを提供する。【解決手段】使い捨ておむつ(10)は、股下域(S3)の吸収コア(31)と重なる領域において、前後方向(L)に延び、かつ幅方向(W)に間隔を空けて配置された一対の股下伸縮部(41)を有する。吸収コアには、股下伸縮部よりも後側において、後側に向かって幅方向の外側に向かって延び、かつ幅方向に間隔を空けて配置された一対の変形基点部(85)が設けられている。【選択図】図１
2020025791.tif 000002
【特許請求の範囲】
【請求項１】
互いに直交する前後方向及び幅方向と、
前胴回り域、後胴回り域、及び前記前胴回り域及び前記後胴回り域との間に配置された股下域と、
少なくとも前記股下域に配置された吸収コアと、
前記後胴回り域に配置されたファスニングテープと、を有する使い捨ておむつであって、
前記股下域の前記吸収コアと重なる領域において、前記前後方向に延び、かつ前記幅方向に間隔を空けて配置された一対の股下伸縮部を有し、
前記吸収コアには、前記股下伸縮部よりも後側において、前記後側に向かって前記幅方向の外側に向かって延び、かつ前記幅方向に間隔を空けて配置された一対の変形基点部が設けられている、使い捨ておむつ。
【請求項２】
前記股下伸縮部の外側縁は、前記変形基点部の外側縁よりも前記幅方向の内側に配置されている、請求項１に記載の使い捨ておむつ。
【請求項３】
前記変形基点部の少なくとも一部は、前記股下伸縮部の後端縁から後側に延びる第１延長線上に配置されている、請求項１又は請求項２に記載の使い捨ておむつ。
【請求項４】
前記ファスニングテープは、前記前胴回り域に係合する係合部を有し、
前記変形基点部は、前記使い捨ておむつの前記前後方向の中心と前記係合部の前端縁との前記前後方向の中間に位置する第１中間線を前記前後方向に跨がっている、請求項１から請求項３のいずれか１項に記載の使い捨ておむつ。
【請求項５】
前記変形基点部の前端縁は、前記変形基点部の後端縁と前記股下伸縮部の後端縁との前記前後方向の中間に位置する第２中間線よりも前側に配置されている、請求項１から請求項４のいずれか１項に記載の使い捨ておむつ。
【請求項６】
前記一対の変形基点部の間には、前記変形基点部よりも前記幅方向の外側の領域よりも剛性が高い高剛性部が設けられている、請求項１から請求項５のいずれか１項に記載の使い捨ておむつ。
【請求項７】
前記変形基点部は、前記高剛性部と前記幅方向において隣接する、請求項６に記載の使い捨ておむつ。
【請求項８】
前記変形基点部は、前記吸収コアが厚さ方向に圧縮された圧搾部によって構成されている、請求項１から請求項７のいずれか１項に記載の使い捨ておむつ。
【請求項９】
前記一対の変形基点部は、前記使い捨ておむつの前記幅方向の中心を挟んで配置されており、
前記変形基点部の少なくとも一部は、前記吸収コアの前記幅方向の中心と前記吸収コアの最大幅との中間に位置する第３中間線よりも前記幅方向の外側に配置されている、請求項１から請求項８のいずれか１項に記載の使い捨ておむつ。
【請求項１０】
前記吸収コアよりも前記幅方向の外側において前記前後方向に伸縮する脚回り伸縮部を有し、
前記脚回り伸縮部は、前記変形基点部から前記幅方向の外側に延びる第２延長線上に配置されている、請求項１から請求項９のいずれか１項に記載の使い捨ておむつ。
【請求項１１】
前記脚回り伸縮部は、前記後側に向かって前記幅方向の外側に向かって延びている、請求項１０に記載の使い捨ておむつ。
【請求項１２】
前記使い捨ておむつの外側部は、前記後側に向かって前記幅方向の外側に向かって延びるサイドフラップ部を有し、
前記サイドフラップ部は、前記変形基点部から前記幅方向に沿って延びる第２延長線上に配置されている、請求項１から請求項１１のいずれか１項に記載の使い捨ておむつ。
【請求項１３】
前記股下伸縮部は、前記変形基点部に沿い、かつ前記変形基点部の前端縁から前側に延びる第３延長線上に配置されている、請求項１から請求項１２のいずれか１項に記載の使い捨ておむつ。
【発明の詳細な説明】
【技術分野】
【０００１】
本発明は、股下域に前後方向に延びる一対の股下伸縮部を有する使い捨ておむつに関する。
【背景技術】
【０００２】
股下域に前後方向に延びる一対の股下伸縮部を有する使い捨ておむつが知られている（例えば、特許文献１参照）。股下伸縮部は、吸収コアに重なる領域に配置されている。股下伸縮部が収縮することにより、股下域の吸収コアが身体側に引き上げられる。
【０００３】
また、特許文献１の吸収コアには、前後方向に延びる一対の溝状部が形成されている。溝状部は、吸収コアの変形基点となる。このように構成された使い捨ておむつは、装着時に、溝状部を基点に吸収コアが変形するとともに、股下伸縮部と重なる吸収コアが身体側に引き上げられる。
【先行技術文献】
【特許文献】
【０００４】
【特許文献１】特開２０１８−４７２号公報
【発明の概要】
【発明が解決しようとする課題】
【０００５】
しかし、上述の使い捨ておむつは、以下の問題があった。
使い捨ておむつは、着用者の臀部から腹部を覆うように装着される。使い捨ておむつが装着される身体の形状は、股間において最も狭く、股間から臀部に向かって幅方向の外側に膨らんでいる。特許文献１の使い捨ておむつでは、股下伸縮部の収縮によって引き上げられた吸収コアが着用者の股間に対して引き上げられる。しかし、股間から臀部に向かって股下伸縮部が前後方向に平行に延びているため、臀部に対しても股間と同じように吸収コアが引き上げられる。よって、臀部を覆うように吸収コアを配置できないことがあった。
【０００６】
また、テープ型の使い捨ておむつを装着する際は、後胴回り域に臀部を載せ、股下域側におむつを引っ張り、股下域及び前胴回り域によって身体を覆う。このとき、臀部に沿って吸収コアが変形しないと、着用者の股間に吸収コアが適切に収まらず、股間に対して吸収コアがフィットしないことがある。股間に対して吸収コアがフィットしないと、股間と使い捨ておむつの間に隙間が生じた状態でおむつが装着される。このように装着されると、腹部を覆う前胴回り域の前後方向の長さを十分に確保できず、前胴回り域によって腹部を適切に覆うことができないことがあった。
【０００７】
よって、身体の臀部及び股間に沿うように吸収コアを変形させ、着用者の身体を適切に覆うことができる使い捨ておむつが望まれる。
【課題を解決するための手段】
【０００８】
一態様に係る使い捨ておむつは、互いに直交する前後方向及び幅方向と、前胴回り域、後胴回り域、及び前記前胴回り域及び前記後胴回り域との間に配置された股下域と、少なくとも前記股下域に配置された吸収コアと、前記後胴回り域に配置されたファスニングテープと、を有する使い捨ておむつであって、前記股下域の前記吸収コアと重なる領域において、前記前後方向に延び、かつ前記幅方向に間隔を空けて配置された一対の股下伸縮部を有し、前記吸収コアには、前記股下伸縮部よりも後側において、前記後側に向かって前記幅方向の外側に向かって延び、かつ前記幅方向に間隔を空けて配置された一対の変形基点部が設けられている。
【図面の簡単な説明】
【０００９】
【図１】実施形態に係る使い捨ておむつの肌面側から見た平面図である。
【図２】実施形態に係る吸収コアの平面図である。
【図３】図１に示す使い捨ておむつのＡ−Ａ断面に沿った模式断面図である。
【図４】図１に示す使い捨ておむつのＢ−Ｂ断面に沿った模式断面図である。
【図５】図１に示す使い捨ておむつのＣ−Ｃ断面に沿った模式断面図である。
【図６】使い捨ておむつのＡ−Ａ断面における装着状態を模式的に示した図である。
【図７】使い捨ておむつのＢ−Ｂ断面における吸収体の変形態様を説明するための図である。
【図８】実施形態に係る使い捨ておむつの装着状態を模式的に示した図である。
【図９】変形例に係る変形基点部を有する吸収コアを示した図である。
【発明を実施するための形態】
【００１０】
（１）実施形態の概要
本明細書及び添付図面の記載により、少なくとも以下の事項が明らかとなる。
一態様に係る使い捨ておむつは、互いに直交する前後方向及び幅方向と、前胴回り域、後胴回り域、及び前記前胴回り域及び前記後胴回り域との間に配置された股下域と、少なくとも前記股下域に配置された吸収コアと、前記後胴回り域に配置されたファスニングテープと、を有する使い捨ておむつであって、前記股下域の前記吸収コアと重なる領域において、前記前後方向に延び、かつ前記幅方向に間隔を空けて配置された一対の股下伸縮部を有し、前記吸収コアには、前記股下伸縮部よりも後側において、前記後側に向かって前記幅方向の外側に向かって延び、かつ前記幅方向に間隔を空けて配置された一対の変形基点部が設けられている。
【００１１】
本態様によれば、使い捨ておむつの装着時に、後胴回り域に臀部を載せ、股下域側におむつを引っ張った際に、吸収コアは、後胴回り域から股下域に向かって幅方向の内側に延びる変形基点部を基点として変形する。吸収コアは、股下域側に向かって幅方向の長さが短くなるように変形し、股下域において一対の股下伸縮部の収縮によって身体側に凸状に変形する。よって、着用者の臀部に対して吸収コアを広い面積で覆いつつ、着用者の両足間の隙間に吸収コアをコンパクトに収めることができる。着用者の股間の適切な位置に使い捨ておむつを配置することにより、装着時に着用者の腹部を覆う位置まで前胴回り域を引っ張ることができる。テープ型の使い捨ておむつにおいて、着用者の身体を適切に覆うことができる。
【００１２】
好ましい一態様によれば、前記股下伸縮部の外側縁は、前記変形基点部の外側縁よりも前記幅方向の内側に配置されてよい。
【００１３】
本態様によれば、変形基点部を基点とした吸収コアの変形と、股下伸縮部による吸収コアの変形と、がより連動しやすくなる。よって、後胴回り域から股下域側に向かって幅方向の長さが短くなるように変形した吸収コアを、股下域において身体側に近づけてより配置し易くなる。
【００１４】
好ましい一態様によれば、前記変形基点部の少なくとも一部は、前記股下伸縮部の後端縁から後側に延びる第１延長線上に配置されてよい。
【００１５】
本態様によれば、変形基点部を基点とした吸収コアの変形と、股下伸縮部による吸収コアの変形と、がより連動しやすくなる。よって、後胴回り域から股下域側に向かって幅方向の長さが短くなるように変形した吸収コアを、股下域において身体側に近づけてより配置し易くなる。
【００１６】
好ましい一態様によれば、ファスニングテープは、前記前胴回り域に係合する係合部を有し、前記変形基点部は、前記使い捨ておむつの前記前後方向の中心と前記係合部の前端縁との前記前後方向の中間に位置する第１中間線を前記前後方向に跨がってよい。
【００１７】
本態様によれば、第１中間線よりも後側は、装着時に臀部が載せられる領域である。変形基点部は、第１中間線を前後方向に跨がっており、着用者の臀部が載せられる領域から臀部が載せられない領域にかけて配置される。装着時に、第１中間線よりも後側の領域が臀部によって押さえられた状態で、臀部が載せられていない領域が前側に引っ張られ、変形基点部を基点として吸収コアがより変形し易くなる。
【００１８】
好ましい一態様によれば、前記変形基点部の前端縁は、前記変形基点部の後端縁と前記股下伸縮部の後端縁との前記前後方向の中間に位置する第２中間線よりも前側に配置されてよい。
【００１９】
本態様によれば、変形基点部の後端縁と股下伸縮部の後端縁の間の領域のうち、半分以上の領域に亘って変形基点部が設けられている。よって、変形基点部を基点とした吸収コアの変形と、股下伸縮部による吸収コアの変形と、が連動しやすい。よって、後胴回り域から股下域にかけて吸収コアを身体に沿った形状に変形させ易くなり、臀部を覆いつつ股下域にコンパクトに吸収コアを配置することができる。
【００２０】
好ましい一態様によれば、前記一対の変形基点部の間には、前記変形基点部よりも前記幅方向の外側の領域よりも剛性が高い高剛性部が設けられてよい。
【００２１】
本態様によれば、変形基点部間に高剛性部が設けられていることにより、変形基点部よりも幅方向の外側の領域と変形基点部よりも内側の領域との剛性差が生じ、変形基点部を基点として吸収コアがより変形し易くなる。よって、股下域側に向かって幅方向の長さが短くなるように吸収コアが変形し易くなり、着用者の股間に吸収コアをより収めやすくなる。着用者の股間の適切な位置に使い捨ておむつを配置し、着用者の身体を適切に覆うことができる。
【００２２】
好ましい一態様によれば、前記変形基点部は、前記高剛性部と前記幅方向において隣接してよい。
【００２３】
本態様によれば、変形基点部よりも幅方向の外側の領域が、変形基点部間の領域に対して変形し易くなり、剛性差によって吸収コアがより変形し易くなる。
【００２４】
好ましい一態様によれば、前記変形基点部は、前記吸収コアが厚さ方向に圧縮された圧搾部によって構成されてよい。
【００２５】
本態様によれば、圧搾部からなる変形基点部は、剛性が高く、吸収コアの変形をより安定し易くなる。
【００２６】
好ましい一態様によれば、前記一対の変形基点部は、前記使い捨ておむつの前記幅方向の中心を挟んで配置されており、前記変形基点部の少なくとも一部は、前記吸収コアの前記幅方向の中心と前記吸収コアの最大幅との中間に位置する第３中間線よりも前記幅方向の外側に配置されてよい。
【００２７】
本態様によれば、吸収コアの幅方向の半分以上の領域において、吸収コアが変形基点部を基点に変形し易くなる。吸収コアの広い範囲で股下域側に向かって幅方向の長さが短くなるように吸収コアが変形し易くなり、着用者の股間に吸収コアをより収めやすくなる。
【００２８】
好ましい一態様によれば、前記吸収コアよりも前記幅方向の外側において前記前後方向に伸縮する脚回り伸縮部を有し、前記脚回り伸縮部は、前記変形基点部から前記幅方向の外側に延びる第２延長線上に配置されてよい。
【００２９】
本態様によれば、後胴回り域に臀部を載せ、股下域側におむつを引っ張る際に、後胴回り域が臀部によって押さえられるとともに、吸収コアよりも幅方向の外側の領域が脚に密着する。脚回り伸縮部と臀部とが身体にフィットした状態で吸収コアが変形するため、吸収コアが変形基点部を基点としてより変形し易くなる。
【００３０】
好ましい一態様によれば、前記脚回り伸縮部は、前記後側に向かって前記幅方向の外側に向かって延びよい。
【００３１】
本態様によれば、後側に向かって幅方向の外側に向かって延びる脚回り伸縮部が身体に密着することにより、着用者の臀部を使い捨ておむつで覆うことができる。後側に向かって広い範囲で臀部を覆った状態で、股下域に向けて吸収コアの幅方向の長さが短くなるように吸収コアを変形できる。着用者の股間に吸収コアを適切に収めつつ、使い捨ておむつによって身体全体を覆い、漏れを抑制できる。
【００３２】
好ましい一態様によれば、前記使い捨ておむつの外側部は、前記後側に向かって前記幅方向の外側に向かって延びるサイドフラップ部を有し、前記サイドフラップ部は、前記変形基点部から前記幅方向に沿って延びる第２延長線上に配置されてよい。
【００３３】
本態様によれば、後胴回り域に臀部を載せ、股下域側におむつを引っ張る際に、後胴回り域が臀部によって押さえられるとともに、吸収コアよりも幅方向の外側のサイドフラップが脚に当たり易くなる。よって、吸収コアは、幅方向の外側に位置するサイドフラップ部と、臀部が載せられた領域と、が押さえられた状態で変形し、変形基点部を基点としてより変形し易くなる。
【００３４】
好ましい一態様によれば、股下伸縮部は、前記変形基点部に沿い、かつ前記変形基点部の前端縁から前側に延びる第３延長線上に配置されてよい。
【００３５】
本態様によれば、変形基点部を基点とした吸収コアの変形と、股下伸縮部による吸収コアの変形と、が連動しやすくなる。よって、後胴回り域から股下域側に向かって幅方向の長さが短くなるように変形した吸収コアを、股下域において身体側に近づけてより配置し易くなる。
【００３６】
（２）使い捨ておむつの全体概略構成
以下、図面を参照して、実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３７】
使い捨ておむつは、テープ型の使い捨ておむつである。図１は、本実施形態に係る使い捨ておむつ１０の肌面側から見た平面図であり、図２は、実施形態に係る吸収コアを肌面側から見た平面図である。図１及び図２に示す平面図は、伸長状態の使い捨ておむつを示している。図３は、図１に示す使い捨ておむつのＡ−Ａ断面に沿った模式断面図である。図４は、図１に示す使い捨ておむつのＢ−Ｂ断面に沿った模式断面図である。図５は、図１に示す使い捨ておむつのＣ−Ｃ断面に沿った模式断面図である。なお、本発明における伸長状態とは、使い捨ておむつ１０を皺が形成されない状態まで伸長させた状態である。また、本発明における自然状態とは、パッケージに収容されている使い捨ておむつ１０にあっては、パッケージから使い捨ておむつ１０を取り出し、２０℃±２℃、相対湿度６０％±５％ＲＨの雰囲気下において２４時間放置した状態である。
【００３８】
使い捨ておむつ１０は、互いに直交する前後方向Ｌ及び幅方向Ｗを有する。前後方向Ｌは、身体前側と身体後側とに延びる方向によって規定される。言い換えると、前後方向Ｌは、展開された使い捨ておむつ１０において前後に延びる方向である。また、使い捨ておむつ１０は、前後方向Ｌと幅方向Ｗの両方の直交する厚さ方向Ｔを有する。厚さ方向Ｔは、着用者側に向かう肌面側Ｔ１と、肌面側と反対側の非肌面側Ｔ２と、に延びる。
【００３９】
使い捨ておむつ１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域であり、装着時に身体（臀部）が載せられる領域を含む。股下域Ｓ３は、着用者の股下に位置し、前胴回り域Ｓ１と後胴回り域Ｓ２との間に配置された領域である。股下域Ｓ３は、着用者の脚回りに配置される脚回り開口部が設けられた領域である。脚回り開口部は、使い捨ておむつの外側縁から幅方向の内側に凹む部分である。
【００４０】
使い捨ておむつ１０は、吸収材料を含む吸収コア３１を含む。吸収コア３１は、粉砕パルプもしくは高吸収性ポリマー（ＳＡＰ）、又はこれらの混合物等の吸収材料を含む。吸収コア３１は、コアラップ３２によって覆われてよい。吸収コア３１とコアラップ３２によって吸収体３０が構成されてよい。コアラップ３２は、テッシュによって構成され、吸収コア３１の肌面側Ｔ１と吸収コアの非肌面側に配置されてよい。
【００４１】
図１及び図３に示すように、吸収コア３１を含む吸収体３０の肌面側Ｔ１には、表面シート２１及びサイドシート２２が設けられてよい。表面シート２１は、吸収体３０の幅方向Ｗの中心を跨いで配置されてよい。サイドシート２２は、表面シート２１の外側部を覆うように配置されてよい。表面シート２１及びサイドシート２２は、例えば不織布や開孔プラスチックフィルムのような透液性シートによって構成されていてよい。サイドシート２２の内側部は、折り返されて重なってよい。重なったサイドシート２２間には、前後方向Ｌに伸縮する防漏伸縮部４３が設けられてよい。防漏伸縮部４３は、前後方向Ｌに伸縮する糸ゴムによって構成されてよい。サイドシート２２と防漏伸縮部４３は、着用時に肌面側Ｔ１に起立する防漏ギャザー６０を構成する。
【００４２】
吸収体３０の非肌面側Ｔ２には、裏面シート２３及び外装シート２４が設けられてよい。外装シート２４は、裏面シート２３の非肌面側Ｔ２に設けられてよい。裏面シート２３の幅方向Ｗの長さは、外装シート２４の幅方向Ｗの長さよりも短く、裏面シート２３の前後方向Ｌの長さは、外装シート２４の前後方向Ｌの長さよりも短い。裏面シート２３は、液不透過性のフィルムによって構成されてよい。外装シート２４は、液透過性の不織布によって構成されてよい。
【００４３】
後胴回り域の外側部には、ファスニングテープ９１が設けられている。ファスニングテープ９１は、ベース部９２と係合部９３を有する。ベース部９２は、厚さ方向Ｔにおいて外装シート２４及びサイドシート２２の間に配置され、幅方向Ｗにおいて外装シート２４及びサイドシート２２から外側に延出している。係合部９３は、ベース部９２上に配置されており、ターゲット部９５（図５参照）に係合する。ターゲット部９５は、前胴回り域Ｓ１において幅方向に間隔を空けて配置されており、ファスニングテープ９１がそれぞれ止着するように構成されている。
【００４４】
裏面シート２３と吸収体３０の間には、インジケータ５１が配置されてよい。インジケータ５１は、前後方向Ｌに延び、かつ幅方向Ｗに間隔を空けて配置されてよい。インジケータ５１は、後述する低坪量部３３の間に配置されている。インジケータ５１は、吸収体が体液を吸収することによって変色し、使い捨ておむつ１０の非肌面側Ｔ２から体液の吸収状態を把握できるように構成されている。
【００４５】
使い捨ておむつ１０は、吸収コア３１よりも幅方向の外側において前後方向に伸縮する脚回り伸縮部４２を有してよい。脚回り伸縮部４２は、サイドシート２２と裏面シート２３の間、及びサイドシート２２と外装シート２４の間に設けられてよい。脚回り伸縮部４２は、前後方向Ｌに伸縮する帯状の伸縮シートによって構成されている。脚回り伸縮部４２の収縮によって、着用時に使い捨ておむつ１０の脚回り開口部が脚回りにフィットする。
【００４６】
使い捨ておむつ１０は、使い捨ておむつの後端縁に沿って幅方向Ｗに延びる腰回り伸縮部４５を有してよい。腰回り伸縮部４５は、裏面シート２３と外装シート２４の間、表面シート２１と外装シート２４の間、及びサイドシート２２と外装シート２４の間に設けられてよい。腰回り伸縮部４５の後端縁は、使い捨ておむつの後端縁よりも前側に位置し、腰回り伸縮部４５の前端縁は、吸収コア３１の後端縁よりも前側に位置してよい。腰回り伸縮部４５は、吸収コア３１よりも幅方向Ｗの外側に延出してよい。腰回り伸縮部４５は、幅方向Ｗに伸縮する帯状の伸縮シートによって構成されている。
【００４７】
使い捨ておむつ１０は、股下域の吸収コア３１に重なる領域に設けられた一対の股下伸縮部４１を有してよい。股下伸縮部４１は、吸収コア３１よりも非肌面側に配置されている。股下伸縮部４１は、裏面シート２３と外装シート２４の間に設けられてよい。股下伸縮部４１は、前後方向Ｌに延び、かつ幅方向Ｗに間隔を空けて配置されている。股下伸縮部４１は、吸収コア３１の幅方向Ｗの中心に配置されてなく、吸収コア３１の幅方向Ｗの中心に対する両側にそれぞれ２本ずつ配置されている。よって、股下伸縮部４１の収縮によって、股下伸縮部４１と重なる領域の吸収コアが、吸収コアの幅方向の中心よりも身体側に引き上げられる。一対の股下伸縮部４１は、吸収コア３１の外側縁よりも幅方向の内側に位置してよい。一対の股下伸縮部４１間に位置する領域は、一対の股下伸縮部４１よりも幅方向の外側の領域に対して身体側に引き上げられる。よって、吸収コアの幅方向の中心が側部を基点として凸状に変形し、身体の股間に対するフィット性を確保できる。股下伸縮部４１は、前後方向Ｌに沿って配置された糸ゴムによって構成されている。なお、他の形態において、股下伸縮部４１は、前後方向に伸縮する帯状の伸縮シートによって構成されてよいし、１本の糸ゴムによって構成されていてもよいし、３本以上の糸ゴムによって構成されてもよい。また、本発明において重なっている状態とは、平面視にて一方の部材と他方の部材が重なっている状態であり、一方の部材の肌面側又は非肌面側に他方の部材が配置されている状態である。重なっている状態では、一方の部材と他方の部材が互いに接している状態のみならず、一方の部材と他方の部材の間に他の部材が介在している構成も含む。
【００４８】
股下伸縮部４１は、使い捨ておむつの前後方向の中心１０ＬＣを跨がってよい。股下伸縮部４１の収縮によって、使い捨ておむつの前後方向の中心１０ＬＣを身体側に引き上げることができる。特に、使用前に使い捨ておむつの肌面側どうしが向き合うように二つに折り畳まれた形態にあっては、折り畳みによる折り癖を引き上げることができる。なお、他の形態において、股下伸縮部４１は、使い捨ておむつの前後方向の中心１０ＬＣを跨がってなく、中心１０ＬＣよりも前側のみに配置されていてもよいし、中心１０ＬＣよりも後側のみに配置されていてもよい。
【００４９】
股下伸縮部４１は、吸収コア３１の外側縁よりも幅方向Ｗの内側に位置する。吸収コア３１の股下伸縮部４１よりも幅方向Ｗの外側には、股下伸縮部４１の収縮力が作用し難い領域が設けられる。図３において、吸収コア３１において股下伸縮部４１よりも外側に位置するサイド領域Ｒ３１と、サイド領域Ｒ３１の間の中央領域Ｒ３２と、を示す。サイド領域Ｒ３１は、最も幅方向Ｗの外側に位置する股下伸縮部４１よりも幅方向Ｗの外側に位置する領域である。中央領域Ｒ３２は、股下伸縮部４１と重なる領域及び股下伸縮部４１よりも幅方向Ｗの内側に位置する領域を合わせた領域である。中央領域Ｒ３２は、股下伸縮部４１の収縮によって、サイド領域Ｒ３１に対して身体側に引き上げられる。着用時の吸収コア３１の変形態様については、後述にて詳細に説明する。
【００５０】
また、本発明における防漏伸縮部４３、脚回り伸縮部４２、腰回り伸縮部４５、及び股下伸縮部４１を含む伸縮部は、糸ゴムや伸縮性シートなどの弾性部材が伸縮可能な状態で配置された部分であり、伸縮しない状態で弾性部材が配置された部分を含まない。すなわち、伸縮部は、伸縮部を構成する弾性部材の有効長部分である。
【００５１】
（３）吸収コアの構成
次いで、図２を参照し、吸収コア３１の構成について詳細に説明する。吸収コア３１は、吸収コア３１の最大幅３１Ｍよりも幅方向の長さが短い幅狭部３５と、幅狭部３５の前後方向の外側に配置された幅広部と、を有する。幅狭部３５は、前後に配置された幅広部の間に配置されている。幅狭部３５の幅方向の長さは、前後方向Ｌの外側に向かって長くなっている。吸収コア３１の平面視の形状は、砂時計形状である。なお、吸収コア３１のみならず、コアラップを含んだ吸収体の形状が、砂時計形状であってもよい。
【００５２】
吸収コア３１は、周囲の領域よりも吸収材料の坪量が低い低坪量部３３を有してよい。低坪量部３３は、前後方向Ｌに沿って設けられている。低坪量部３３は、前後方向Ｌに延びていればよく、前後方向Ｌに対して平行であってもよいし、前後方向Ｌに対して９０度未満の角度で傾斜してもよい。
【００５３】
低坪量部３３は、周囲の吸収コア３１よりも吸収材料の坪量が低い部分であり、周囲の吸収コア３１よりも厚さが薄く、かつ剛性が低い。よって、低坪量部３３は、装着状態で変形基点となり易い。吸収コア３１には、着用状態で前後方向に延びる変形基点が形成され易い。低坪量部３３は、吸収材料の坪量が実質的に零の部分（設計上の坪量が０であるが、周囲の吸収材料が混入した部分を含む）であってもよいし、周囲よりも少ない坪量の吸収材料が配置された部分であってもよい。低坪量部３３は、幅方向Ｗに一定の長さを有するスリットであってもよいし、幅方向Ｗの長さが実施的に零である切り込みであってもよい。各低坪量部３３の幅方向Ｗの長さは、２ｍｍ以上１０ｍｍ以下であってよく、より好適には、吸収コア３１の厚さ以上、８ｍｍ以下でよい。低坪量部３３の幅方向の長さが吸収コア３１の厚さ以上であることにより、低坪量部３３を基点に吸収コア３１が厚さ方向に変形し易くなる。また、低坪量部３３の幅方向の長さが８ｍｍ以下であることにより、低坪量部の幅方向の長さが長いことによる吸収性能に対する不安感を抑制できる低坪量部３３の前後方向Ｌの長さは、３０ｍｍ以上１８０ｍｍ以下であってよい。
【００５４】
低坪量部３３は、幅方向Ｗに間隔を空けて一対で配置されている。低坪量部３３は、使い捨ておむつの幅方向の中心１０ＷＣの両側に、幅方向Ｗに間隔を空けて配置されてよい。低坪量部３３の前後方向の中心は、使い捨ておむつの前後方向の中心１０ＬＣよりも後側に配置されてよい。低坪量部３３の前端縁３３Ｆは、股下伸縮部４１の前端縁４１Ｆよりも前側に位置してよく、低坪量部３３の後端縁３３Ｒは、股下伸縮部４１の後端縁４１Ｒと一致又は後端縁４１Ｒよりも前側に位置してよい。低坪量部３３の外側縁は、股下伸縮部４１を構成する糸ゴムのうち幅方向の外側に位置する糸ゴムと幅方向において一致していてよく、低坪量部３３の内側縁は、股下伸縮部４１を構成する糸ゴムのうち幅方向の内側に位置する糸ゴムと幅方向において一致していてよい。
【００５５】
吸収コア３１は、周囲の領域よりも剛性が高い高剛性部７０を有してよい。高剛性部７０は、一対の股下伸縮部４１の間に配置された中央高剛性部７１と、股下伸縮部４１よりも後側に配置された後高剛性部７２と、股下伸縮部４１よりも前側に配置された前高剛性部７３と、を有してよい。中央高剛性部７１、後高剛性部７２及び前高剛性部７３は、それぞれ前後方向Ｌにおいて離間している。
【００５６】
高剛性部７０は、周囲の領域よりも曲げ剛性が高い領域である。高剛性部７０は、周囲の領域よりも目付が高い部分であってもよいし、吸収コア３１が厚さ方向に圧縮された部分であってもよい。本実施の形態の高剛性部７０は、吸収コア３１が圧縮された圧搾部が設けられた部分である。圧搾部は、少なくとも吸収コア３１を厚さ方向Ｔに圧搾することによって形成されていればよく、コアラップ３２等の他の部材と吸収コア３１とが圧搾されることによって形成されてもよい。
【００５７】
中央高剛性部７１は、一対の低坪量部３３間の領域に設けられている。中央高剛性部７１の前端縁７１Ｆは、低坪量部３３の前端縁３３Ｆと一致又は低坪量部３３の前端縁３３Ｆよりも後側に位置してよい。中央高剛性部７１の後端縁７１Ｒは、低坪量部３３の後端縁３３Ｒよりも前側に位置してよい。中央高剛性部７１の前後方向の中心は、低坪量部３３の前後方向中心よりも前側に配置されてよい。中央高剛性部７１は、幅方向Ｗにおいて、低坪量部３３と間隔を空けて配置されてよい。中央高剛性部７１は、使い捨ておむつの前後方向の中心１０ＬＣ及び使い捨ておむつの幅方向Ｗの中心１０ＷＣを跨がってよい。
【００５８】
股下伸縮部４１は、中央高剛性部７１の幅方向の中心よりも両側に位置し、中央高剛性部７１よりも後側に延出してよい。吸収コア３１は、中央高剛性部７１よりも後側において股下伸縮部４１が配置された第１領域Ｒ４１と、中央高剛性部７１と股下伸縮部４１が厚さ方向又は幅方向において重なった第２領域Ｒ４２と、股下伸縮部４１よりも前側において中央高剛性部７１が配置された第３領域Ｒ４３と、を有してよい。第１領域Ｒ４１と第２領域Ｒ４２は、前後方向Ｌにおいて隣接しており、第２領域Ｒ４２と第３領域Ｒ４３は、前後方向Ｌにおいて隣接している。第１領域Ｒ４１の後端縁は、股下伸縮部４１の後端縁４１Ｒと一致し、第１領域Ｒ４１の前端縁は、中央高剛性部７１の後端縁７１Ｒと一致する。第２領域Ｒ４２の後端縁は、第１領域Ｒ４１の前端縁と一致し、第２領域Ｒ４２の前端縁は、股下伸縮部４１の前端縁４１Ｆと一致する。第３領域Ｒ４３の後端縁は、第２領域Ｒ４２の前端縁と一致し、第３領域Ｒ４３の前端縁は、中央高剛性部７１の前端縁７１Ｆと一致する。
【００５９】
後高剛性部７２は、低坪量部３３よりも後側に配置されてよい。後高剛性部７２の外側縁は、後側に向かって幅方向Ｗの外側に延びてよい。後高剛性部７２の前端縁の幅方向Ｗの長さは、中央高剛性部７１の幅方向Ｗの長さよりも長くてよい。後高剛性部７２は、使い捨ておむつの幅方向Ｗの中心１０ＷＣを跨がってよい。
【００６０】
前高剛性部７３は、低坪量部３３よりも前側に配置されてよい。前高剛性部７３は、使い捨ておむつの幅方向Ｗの中心１０ＷＣの両側に、幅方向Ｗに間隔を空けて配置されてよい。前高剛性部７３の前端縁は、幅方向Ｗの外側に向かって前側に延びてよい。
【００６１】
吸収コア３１には、股下伸縮部４１よりも後側に設けられた一対の変形基点部８５を有してよい。変形基点部８５は、股下伸縮部４１よりも後側において、後側に向かって幅方向Ｗの外側に向かって延び、かつ幅方向Ｗに間隔を空けて一対で配置されている。変形基点部８５は、吸収コア３１が厚さ方向に変形する基点となる。本実施の形態の変形基点部８５は、後高剛性部７２の外側部７２Ｓによって構成されている。変形基点部８５は、変形基点の縁となる基点縁８５Ｅを有する。基点縁は、吸収コア３１の厚さの折れ線が形成される縁である。本実施の形態の基点縁８５Ｅは、後高剛性部７２の外側縁７２Ｅである。本実施の形態の変形基点部８５は、基点縁８５Ｅから吸収コア３１の厚さ分まで基点縁８５Ｅに沿った線に対する垂直方向の内側に延びる領域を含んでいる。
【００６２】
ここで、本発明における外側部とは、幅方向Ｗにおける外側の縁を含む幅方向Ｗに一定の範囲を占める部分であり、外側縁とは、幅方向Ｗにおける外側の縁である。また、内側部とは、幅方向Ｗにおける内側の縁を含む幅方向Ｗに一定の範囲を占める部分であり、内側縁とは、幅方向Ｗにおける内側の縁である。なお、変形基点部８５は、吸収コア３１が厚さ方向に変形する基点となればよく、圧搾部による高剛性部の外側部に限定されない。他の態様における変形基点部については、後述にて説明する。
【００６３】
（４）使い捨ておむつの装着時の変形態様
次いで、図６から図８に基づいて、使い捨ておむつ１０の装着時の変形態様について説明する。図６は、使い捨ておむつのＡ−Ａ断面における装着状態を模式的に示した図である。図７は、使い捨ておむつのＢ−Ｂ断面における装着時の吸収体の変形態様を説明するための図である。図８は、実施形態に係る使い捨ておむつの装着状態を模式的に示した図であり、寝た状態の着用者を正面側から視認した図である。図６に示すラインＢＬは、着用者の身体のラインを示している。
【００６４】
テープ型の使い捨ておむつ１０を装着する際は、まず、使い捨ておむつ１０を展開した状態で使い捨ておむつ１０の後胴回り域Ｓ２に着用者の臀部を載せる。そして、着用者の両脚の間に使い捨ておむつ１０を通し、股下域側におむつを引っ張り、股下域によって身体を覆う。このとき、使い捨ておむつは、前後方向に引っ張られ、吸収コア３１は、変形基点部８５を基点に変形し易い。変形基点部８５は、股下域に位置する股下伸縮部４１よりも後側に設けられており、股下伸縮部４１よりも後側に吸収コア３１の変形基点が形成される。変形基点部８５は、後側に向かって幅方向Ｗの外側に向かって延びており、吸収コア３１には、後胴回り域から股下域に向かって幅方向Ｗの内側に延びる変形基点が形成される。
【００６５】
よって、後胴回り域に臀部を載せ、股下域側におむつを引っ張った際に、吸収体は、後胴回り域から股下域に向かって幅方向Ｗの内側に延びる基点によって変形する。具体的には、変形基点部８５が設けられている領域の吸収体は、図７に示すように、後高剛性部７２の外側縁７２Ｅ（変形基点部８５の基点縁８５Ｅ）を基点として変形し、外側縁７２Ｅよりも幅方向Ｗの内側の領域が、外側縁７２Ｅよりも幅方向Ｗの外側の領域よりも肌面側に配置される。外側縁７２Ｅよりも幅方向Ｗの内側の領域が、外側縁７２Ｅよりも幅方向Ｗの外側の領域よりも肌面側に配置される要因としては、股下伸縮部４１の収縮によって吸収コア３１の幅方向Ｗの中央が身体側に引き上げられること、装着者がおむつを引っ張る際には一般的に吸収コア３１の幅方向Ｗの中央に力をかけるため、及び装着時に吸収性物品の外側部（例えば脚回り開口部近傍）が脚に引っ掛かった状態で吸収コア３１の幅方向Ｗの中央が引き上げられるためである。吸収コア３１は、変形基点部８５を基点に変形することにより、股下域側に向かって幅方向Ｗの長さが短くなるように変形する。
【００６６】
図６及び図８に示すように、変形基点部８５よりも前側に位置する吸収コア３１は、一対の股下伸縮部４１の収縮によって身体側に凸状に変形し、中央領域Ｒ３２がサイド領域Ｒ３１に対して立ち上がる。よって、股下域の吸収コア３１が身体側に沿って配置され、着用者の股間に吸収コア３１を適切に収めることができる。
【００６７】
着用者の臀部に対して吸収コア３１を広い面積で覆いつつ、着用者の両足間の隙間に吸収コア３１をコンパクトに収めることができる。着用者の股間の適切な位置に使い捨ておむつを配置することにより、着用者の腹部を覆う位置まで前胴回り域を引っ張ることができる。テープ型の使い捨ておむつにおいて、着用者の身体を適切に覆うことができる。
【００６８】
股下伸縮部４１の外側縁は、変形基点部８５の外側縁よりも幅方向Ｗの外側に配置されてよい。しかし、より好適には、股下伸縮部４１の外側縁は、変形基点部８５の外側縁よりも幅方向Ｗの内側に配置されてよい。このような構成によれば、変形基点部８５を基点とした吸収コア３１の変形と、股下伸縮部４１による吸収コア３１の変形と、がより連動しやすくなる。よって、後胴回り域から股下域側に向かって幅方向Ｗの長さが短くなるように変形した吸収コア３１を、股下域において身体側に近づけてより配置し易くなる。なお、股下伸縮部４１の外側縁は、股下伸縮部４１を構成する弾性部材のうち最も幅方向Ｗの外側に位置する弾性部材の外側縁である。本実施の形態の股下伸縮部４１を構成する糸ゴムは、前後方向に沿って配置されており、幅方向Ｗの外側に位置する弾性部材が、股下伸縮部４１の外側縁を構成する。
【００６９】
変形基点部８５と、股下伸縮部４１は、幅方向Ｗにずれていてもよい。しかし、より好適には、変形基点部８５の少なくとも一部は、股下伸縮部４１の後端縁から後側に延びる第１延長線ＥＬ１上に配置されてよい。変形基点部８５を基点とした吸収コア３１の変形と、股下伸縮部４１による吸収コア３１の変形と、がより連動しやすくなる。よって、後胴回り域から股下域側に向かって幅方向Ｗの長さが短くなるように変形した吸収コア３１を、股下域において身体側に近づけてより配置し易くなる。なお、股下伸縮部４１を構成する弾性部材が複数設けられた形態にあっては、少なくともいずれかの弾性部材の延長線上に変形基点部８５が配置されていればよい。
【００７０】
変形基点部８５は、使い捨ておむつの前後方向の中心１０ＬＣと係合部９３の前端縁との前後方向Ｌの中間に位置する第１中間線ＭＬ１を前後方向Ｌに跨がってよい。図１に示すように、第１中間線ＭＬ１は、使い捨ておむつの前後方向の中心１０ＬＣと係合部９３の前端縁との前後方向の中心を通り、かつ幅方向Ｗに延びる線である。第１中間線ＭＬ１よりも後側は、一般的に装着時に臀部が載せられる領域である。変形基点部８５は、第１中間線ＭＬ１を前後方向に跨がっており、着用者の臀部が載せられる領域から臀部が載せられない領域にかけて配置される。装着時に、第１中間線ＭＬ１よりも後側の領域が臀部によって押さえられた状態で、臀部が載せられていない領域が前側に引っ張られ、変形基点部８５を基点として吸収コア３１がより変形し易い。よって、吸収コア３１の幅が短くなるように吸収コア３１を変形させ、着用者の股間の適切な位置に使い捨ておむつを配置し、着用者の身体を適切に覆うことができる。
【００７１】
また、股下伸縮部４１の後端縁４１Ｒは、第１中間線ＭＬ１よりも前側に配置されてよい。股下伸縮部４１の後端縁４１Ｒは、着用者の臀部が載せられない領域に配置される。装着時には、第１中間線ＭＬ１よりも後側の領域が臀部によって押さえられた状態で、臀部が載せられていない領域が前側に引っ張られ、股下伸縮部４１がより伸長し易い。よって、股下伸縮部４１が配置された領域が身体に対してより引き上げられ易く、着用者の股間に吸収コア３１を適切により収めることができる。
【００７２】
変形基点部８５の前端縁は、変形基点部８５の後端縁と股下伸縮部４１の後端縁との前後方向の中間に位置する第２中間線ＭＬ２よりも前側に配置されてよい。図１に示すように、第２中間線ＭＬ２は、変形基点部８５の後端縁と股下伸縮部４１の後端縁４１Ｒとの前後方向の中間を通り、かつ幅方向Ｗに延びる線である。変形基点部８５の後端縁と股下伸縮部４１の後端縁の間の領域のうち、半分以上の領域に亘って変形基点部８５が設けられている。よって、変形基点部８５を基点とした吸収コア３１の変形と、股下伸縮部４１による吸収コア３１の変形と、が連動しやすい。よって、後胴回り域Ｓ２から股下域Ｓ３にかけて吸収コア３１を身体に沿った形状に変形させ易くなり、臀部を覆いつつ股下域にコンパクトに吸収コア３１を配置することができる。着用者の股間の適切な位置に使い捨ておむつを配置し、着用者の身体を適切に覆うことができる。
【００７３】
一対の変形基点部８５の間には、変形基点部８５よりも幅方向Ｗの外側の領域よりも剛性が高い高剛性部が設けられてよい。本実施の形態では、後高剛性部の外側部が変形基点部８５を構成し、後高剛性部の外側部間の領域が、本構成の高剛性部を構成する。変形基点部８５間に高剛性部が設けられていることにより、変形基点部８５よりも幅方向Ｗの外側の領域と変形基点部８５よりも内側の領域との剛性差が生じ、変形基点部８５を基点として吸収コア３１がより変形し易くなる。よって、股下域側に向かって幅方向Ｗの長さが短くなるように吸収コア３１が変形し易くなり、着用者の股間に吸収コア３１をより収めやすくなる。着用者の股間の適切な位置に使い捨ておむつを配置することにより、着用者の身体を適切に覆うことができる。
【００７４】
なお、後述する変形例に係る変形基点部のように、剛性が比較的低い変形基点部（例えば、低坪量部からなる変形基点部８５Ｃ）にあっては、一対の変形基点部８５の間の高剛性部の剛性が、変形基点部の剛性よりも高くてよい。
【００７５】
一対の変形基点部８５の間の高剛性部は、変形基点部８５と幅方向Ｗにおいて隣接していてもよい。変形基点部８５よりも幅方向Ｗの外側の領域が、変形基点部８５間の領域に対して変形し易くなり、剛性差によって吸収コア３１がより変形し易くなる。また、一対の変形基点部８５が高剛性部によって一体化する。変形基点部８５と高剛性部が一体化して着用者側に凸状に変形し易くなり、着用者の股間に吸収コア３１をより収めやすくなる。
【００７６】
本実施の形態の変形基点部８５及び変形基点部８５間の高剛性部は、いずれも圧搾部からなる後高剛性部によって構成されている。このように、変形基点部８５及高剛性部が、一体として形成されていてもよく、変形基点部８５及高剛性部の境界が形成されていなくてよい。後高剛性部全体が変形基点部８５としての機能、及び高剛性部としての機能を発揮してよい。また、圧搾部からなる変形基点部８５は、剛性が高く、吸収コア３１の変形をより安定し易くなる。
【００７７】
一対の変形基点部８５は、使い捨ておむつの幅方向Ｗの中心を挟んで配置されており、変形基点部８５の少なくとも一部は、吸収コア３１の幅方向Ｗの中心と吸収コア３１の最大幅との中間に位置する第３中間線ＭＬ３よりも幅方向Ｗの外側に配置されてよい。図１に示すように、第３中間線ＭＬ３は、吸収コア３１の幅方向Ｗの中心と吸収コア３１の最大幅との中心を通り、かつ前後方向に延びる線である。吸収コア３１の幅方向Ｗの半分以上の領域において、吸収コア３１が変形基点部８５を基点に変形し易くなる。吸収コア３１の広い範囲で股下域側に向かって幅方向Ｗの長さが短くなるように吸収コア３１が変形し易くなり、着用者の股間に吸収コア３１をより収めやすくなる。
【００７８】
変形基点部８５から幅方向Ｗの外側に延びる第２延長線ＥＬ２上に、脚回り伸縮部４２が配置されてよい。第２延長線ＥＬ２は、変形基点部８５の任意の位置から幅方向Ｗの外側に延びる線であり、前後方向の位置が異なる位置に複数設けられる。いずれかの第２延長線ＥＬ２上に、脚回り伸縮部４２の少なくとも一部が配置されていればよい。後胴回り域に臀部を載せ、股下域側におむつを引っ張る際に、後胴回り域が臀部によって押さえられるとともに、吸収コア３１よりも幅方向Ｗの外側の領域が脚に密着する。脚回り伸縮部と臀部とが身体にフィットした状態で吸収コア３１が変形するため、臀部よりも前側において中央領域Ｒ３２がサイド領域Ｒ３１に対して立ち上がり易くなり、吸収コア３１が変形基点部８５を基点としてより変形し易くなる。
【００７９】
また、股下伸縮部４１から幅方向Ｗの外側に延びる延長線上に脚回り伸縮部４２配置されてもよい。脚回り伸縮部が身体にフィットした状態で吸収コア３１が変形することにより、中央領域Ｒ３２がサイド領域Ｒ３１に対してより立ち上がり易くなる。股下伸縮部４１の収縮によって吸収コア３１がより着用者側に引き上げられ易くなる。
【００８０】
脚回り伸縮部４２は、後側に向かって幅方向Ｗの外側に向かって延びてよい。後側に向かって幅方向Ｗの外側に向かって延びる脚回り伸縮部が身体に密着することにより、着用者の臀部を使い捨ておむつで覆うことができる。後側に向かって広い範囲で臀部を覆った状態で、股下域に向けて吸収コア３１の幅方向Ｗの長さが短くなるように吸収コア３１を変形できる。着用者の股間に吸収コア３１を適切に収めつつ、使い捨ておむつによって身体全体を覆い、漏れを抑制できる。
【００８１】
吸収コア３１よりも幅方向Ｗの外側において、後側に向かって幅方向Ｗの外側に向かって延びるサイドフラップ部２７を有し、サイドフラップ部２７は、第２延長線ＥＬ２上に配置されてよい。サイドフラップ部２７は、使い捨ておむつの外側部において後側に向かって幅方向Ｗの外側に向かって延びる部分であり、図１において斜線を付して示した部分である。後胴回り域に臀部を載せ、股下域側におむつを引っ張る際に、後胴回り域が臀部によって押さえられるとともに、吸収コア３１よりも幅方向Ｗの外側のサイドフラップ部が脚に当たり易くなる。よって、吸収コア３１は、幅方向Ｗの外側に位置するサイドフラップ部と、臀部が載せられた領域と、が押さえられた状態で変形し、変形基点部８５を基点としてより変形し易くなる。
【００８２】
股下伸縮部４１と重なる領域に低坪量部３３が配置されていてもよい。吸収コア３１は、着用時に前後方向に延びる低坪量部を基点に変形する。よって、股下伸縮部４１の収縮によって吸収コア３１が身体側に凸状により変形し易くなり、着用者の股間に吸収コア３１を適切に収めることができる。吸収コア３１の変形基点となる低坪量部３３は、周囲の領域よりも坪量が低く、体液を吸収した後も厚さを抑えることができ、変形状態を維持できる。
【００８３】
股下伸縮部４１は、中央高剛性部７１に対する幅方向Ｗの両方の外側に配置されてよい。股下伸縮部４１の収縮によって、中央高剛性部７１よりも幅方向Ｗの外側の領域を身体側に引き上げることができる。よって、低坪量部３３近傍が身体側に凸状に変形し易い。また、中央高剛性部７１は、股下伸縮部４１によって収縮し難い。よって、吸収面積を確保するとともに、股間に沿った凸形状を維持し、漏れを低減できる。
【００８４】
（５）変形例
次いで、変形例に係る変形基点部について説明する。図９は、変形例に係る変形基点部を有する吸収コア３１の平面を模式的に示した図である。なお、以下の変形例の説明においては、上述の実施形態と異なる構成のみ説明し、実施形態と同様の構成については、同符号を用いて説明を省略する。
【００８５】
図９（Ａ）は、変形例１に係る変形基点部８５Ａを有する吸収コア３１Ａを示している。変形基点部８５Ａは、幅方向Ｗに間隔を空けて一対で配置されている。変形基点部８５Ａは、股下伸縮部４１よりも幅方向Ｗの内側に配置されており、第１延長線ＥＬ１上に配置されていない。変形基点部８５Ａは、圧搾部によって構成されている。
【００８６】
図９（Ｂ）は、変形例２に係る変形基点部８５Ｂを有する吸収コア３１Ｂを示している。変形基点部８５Ｂは、幅方向Ｗに間隔を空けて一対で配置されている。変形基点部８５Ａは、股下伸縮部４１よりも幅方向Ｗの外側に配置されており、第１延長線ＥＬ１上に配置されていない。変形基点部８５Ａは、圧搾部によって構成されている。
【００８７】
変形例２に示すように、股下伸縮部４１は、変形基点部８５に沿い、かつ変形基点部８５の前端縁から前側に延びる第３延長線ＥＬ３上に配置されてよい。第３延長線ＥＬ３は、変形基点部８５に沿って延びる線であって、変形基点部８５の前端縁から前側に延びる線である。変形基点部８５を基点とした吸収コア３１Ｂの変形と、股下伸縮部４１による吸収コア３１Ｂの変形と、が連動しやすくなる。よって、後胴回り域から股下域側に向かって幅方向Ｗの長さが短くなるように変形した吸収コア３１Ｂを、股下域において身体側に近づけてより配置し易くなる。
【００８８】
図９（Ｃ）は、変形例３に係る変形基点部８５Ｃを有する吸収コア３１Ｃを示している。変形基点部８５Ｃは、吸収コアの低坪量部によって構成されている。変形例に係る吸収コア３１Ｃは、装着時に股下域側に引っ張られた際に、スリットの内端縁を基点に折れ線が形成され、厚さ方向に変形する。よって、変形例３に係る基点縁８５Ｅは、変形基点部８５Ｃの内側縁によって構成される。
【００８９】
本明細書における「吸収コアの坪量」の測定は、以下の測定方法によって行われるものとする。使い捨ておむつ１０がパッケージなどに封入されている場合には、パッケージから取り出し、その状態にて20℃±2℃、相対湿度60％±5％RHの雰囲気下において12時間放置したサンプルを用いる。包装シート等によって包装された使い捨ておむつにおいては包装シートを開封し、折り畳まれた使い捨ておむつを展開する。次いで、坪量を測定する部分を使い捨ておむつから切り出し、切り出した部分から表面シート等、吸収コア以外の部分を取り除く。そして、吸収コアの坪量を測定する部分の面積及び重量を測定する。重量と面積とに基づいて坪量を算出する。
【００９０】
本明細書における「曲げ剛性」は、ガーレー剛軟度によって測定された値であってもよい。ガーレー剛軟度の測定は、(株)安田精機製作所製のＮｏ３１１のガーレー式柔軟度試験機を用いて、ＪＩＳ−Ｌ１０９６に準拠して測定することが可能である。ガーレー剛軟度の測定のサンプルの幅方向Ｗの長さは、30ｍｍ、前後方向の長さは、25ｍｍとすることができる。
【００９１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００９２】
本発明によれば、身体の臀部及び股間に沿うように吸収コアを変形させ、着用者の身体を適切に覆うことができる使い捨ておむつを提供できる。
【符号の説明】
【００９３】
１０    使い捨ておむつ
１０ＬＣ  ：おむつの前後方向の中心
１０ＷＣ  ：おむつの幅方向の中心
２１    表面シート
２２    サイドシート
２３    裏面シート
２４    外装シート
２７    サイドフラップ部
３０    吸収体
３１    吸収コア
３２    コアラップ
３３    低坪量部
４１    股下伸縮部
４２    脚回り伸縮部
４３    防漏伸縮部
４５    腰回り伸縮部
５１    インジケータ
７１    中央高剛性部
７２    後高剛性部
８５    変形基点部
９１    ファスニングテープ
９２    ベース部
９３    係合部
ＥＬ１  第１延長線
ＥＬ２  第２延長線
ＥＬ３  第３延長線
ＭＬ１  第１中間線
ＭＬ２  第２中間線
ＭＬ３  第３中間線
Ｓ１    前胴回り域
Ｓ２    後胴回り域
Ｓ３    股下域
Ｔ      厚さ方向
Ｔ１    肌面側
Ｔ２    非肌面側
Ｌ      前後方向
Ｗ      幅方向
【図１】
2020025791.tif 000003
【図２】
2020025791.tif 000004
【図３】
2020025791.tif 000005
【図４】
2020025791.tif 000006
【図５】
2020025791.tif 000007
【図６】
2020025791.tif 000008
【図７】
2020025791.tif 000009
【図８】
2020025791.tif 000010
【図９】
2020025791.tif 000011